(57)【要約】【課題】撒きエサの堆積による汚染を防止するとともに、魚の生育環境を改善する。【解決手段】撒きエサ１０は、有機物の餌１２に、鋳鉄などの粉末状の活性材１４を混合して生成される。前記餌１２と活性材１４は、海中２４への投入直前に混合される。ビシ２０に詰められた撒きエサ１０は、海中２４の適当な位置で下窓２２から海中２４に放出され、広く拡散する。撒きエサ１０に含まれる活性材１４は、海中２４又は海底２６で酸化するため、海中２４に存在する珪藻類３２が著しく増殖する。珪藻類３２は魚３０の餌となるほか、ＣＯ２の吸収にも効果的である。また、珪藻類３２の死骸３４が海底２６に沈積して珪藻土３６となり、ここに海草３８の成長が見られるため、魚３０の産卵場所や隠れ場所などが確保され、成育環境が改善される。【選択図】      図１
2004194552.tif 000002
【特許請求の範囲】
【請求項１】
撒きエサの活性方法であって、
前記撒きエサの散布直前に、鋳鉄その他の鉄を主成分とする粉末状の撒きエサ用活性材を混合することを特徴とする撒きエサ活性方法。
【請求項２】
前記撒きエサ用活性材の表面を、突出部のない状態に形成したことを特徴とする請求項１記載の撒きエサ活性方法。
【請求項３】
前記撒きエサ用活性材の粉末径を、０．５ｍｍ以下としたことを特徴とする請求項１又は２記載の撒きエサ活性方法。
【請求項４】
請求項１〜３のいずれかに記載の撒きエサ活性方法によって活性されたことを特徴とする撒きエサ。
【発明の詳細な説明】
【０００１】
【発明の属する技術分野】
本発明は、撒きエサ及びその活性方法に関し、特に、環境汚染の防止と魚の成育環境の改善に関するものである。
【０００２】
【背景技術】
釣りや漁で集魚効果を得るために撒きエサが広く利用されている。通常、撒きエサとしては、魚肉のミンチやオキアミなどが用いられる。このように、撒きエサ自体は基本的に有機物を主成分とするものであるため、漁場や釣り場などの一箇所に集中して大量に投入されると、海洋汚染などの問題が生じる恐れがある。
すなわち、投入された撒きエサの大部分は、魚に食べられることなく海底に沈み、堆積して腐ってしまう。すると、海底表面に生えるべき海草の生長がみられず、結果的に魚の産卵場所や隠れ場所などが減少してしまい、その近辺に魚の姿が見られなくなる。このような魚の減少問題や漁獲量の改善のために、従来より、様々な人工漁礁などが考案されている（特許文献１及び特許文献２）。
【０００３】
【特許文献１】
特開２００１−３４６４７６号公報
【特許文献２】
特開２００２−１９１２５５号公報
【０００４】
【発明が解決しようとする課題】
しかしながら、以上のような背景技術には次のような不都合がある。まず、上述した特許文献に記載されている技術は、いずれも人工の構造物を海底に設置するものであるが、漁場の生産性向上には効果があるとしても、撒きエサの腐食による海底汚染そのものを解決するものではない。また、人工構造物を製造し、水底に設置するなどの手間がかかるという問題もある。
【０００５】
この発明は、以上の点に着目したもので、撒きエサによる環境汚染を防止するとともに、魚の成育環境の改善に好適な撒きエサ及びその活性方法を提供することを、その目的とするものである。
【０００６】
【課題を解決するための手段】
前記目的を達成するため、本発明は、撒きエサの活性方法であって、前記撒きエサの散布直前に、鋳鉄その他の鉄を主成分とする粉末状の撒きエサ用活性材を混合することを特徴とする。主要な形態の一つでは、前記撒きエサ用活性材の表面を、突出部のない状態に形成したことを特徴とする。他の形態は、前記撒きエサ用活性材の粉末径を、０．５ｍｍ以下としたことを特徴とする。本発明の撒きエサは、前記いずれかの撒きエサ活性方法によって活性されたことを特徴とする。本発明の前記及び他の目的，特徴，利点は、以下の詳細な説明及び添付図面から明瞭になろう。
【０００７】
【発明の実施の形態】
以下、本発明の実施の形態について詳細に説明する。本発明で利用する撒きエサは、漁場などにおいて、海に散布ないし投入することにより魚を誘き寄せるものであるが、該撒きエサに海中の珪藻類などの生育に欠かせない鉄分を含有させることにより、珪藻類の増殖を促し、それによって魚の成育環境を含む海洋環境全体の改善をも図るものである。
【０００８】
図１（Ａ）に示すように、本実施形態の撒きエサ１０は、有機物を主として含む餌１２に、鋳鉄その他の鉄を主成分とする粉末状の活性材１４を混合したものである。餌１２としては、撒きエサとして通常使用される各種の公知のもの，例えば、魚肉のミンチやオキアミ，エビなどが利用可能である。活性材１４としては、鉄を主成分とするものであれば、どのようなものであってもよいが、表面に針形状がない、すなわち突出部のない形状のものが好ましい。また、餌１２との親和性が高い点と、他の各種の成分を含んでおり海中の珪藻類の生育にとって栄養バランスの面で好都合であるという点から、鋳鉄が好適である。鋳鉄に含まれる成分としては、例えば、ＣないしＴＣ（トータルカーボン），Ｓｉ，Ｍｎ，Ｐ，Ｓ，Ｃｕ，Ｎｉ，Ｃｒ，Ｍｏ，Ｔｉ，Ｖ，Ａｌ，Ｓｎなどである。
【０００９】
このような活性材１４は、鋳鉄やその他の鉄を主成分とする粉を、例えば０．５ｍｍ以下に粉砕し、加熱により殺菌と表面の脱油を行って不純物を取り除いて形成される。このように、０．５ｍｍ以下に細かく粉砕したものを利用することにより、餌１２とのなじみが良く、混合時などの取り扱いも容易となる。鉄材の加工後に生ずる鉄粉などは、尖っているなど突出部のある鋭い形状となっており、取り扱いが面倒である。これに対し、鋳鉄の粉は、形状に突出部のない丸みのある形状を得やすく好都合である。すなわち、鋳鉄にはカーボンが含まれているため、軟らかくて加工しやすい。このため、インゴットを削って生じた鋳鉄片をうすなどで挽くことにより、容易に丸みのある形状に加工することができる。
【００１０】
活性材１４は、餌１２に対して少量添加すればよく、例えば、重量比で、餌１２：活性材１４＝１００：１程度の割合が好適である。なお、上述した餌１２と活性材１４は、海に投入する直前に混合するのがよい。これは、予め混合すると、活性材１４の鉄分が餌１２に含まれる水分と反応して酸化してしまうので、これを防止するためである。
【００１１】
次に、本実施形態の作用を説明する。図１（Ａ）に示すように、船１６などから、道糸１８の先端に釣針とともに取り付けたビシ２０を海中２４に投入する。
ビシとは、おもりが一体となった籠のことで、このビシ２０の中に、前記撒きエサ１０を半分程度まで詰めておく。なお、撒きエサ１０は、上述した通り、投入する直前に餌１２と活性材１４を混合したものである。投入されたビシ２０は、いったん海底２６まで沈められたのち、徐々に引き上げられ、適当な位置（例えば、海底２６から４〜５ｍの位置）において大きくしゃくり上げることにより、下窓２２から、撒きエサ１０を海中２４に放出する。その後は、船１６の振動で微量ずつ撒きエサ１０が放出される。撒きエサ１０に含まれる活性材１４は、活性材１４だけを投入した場合と異なり、図１（Ｂ）に示すように、餌１２とともに海中２４ないし海面２８に広く拡散する。
【００１２】
海中２４に投入された活性材１４は、海中２４，あるいは餌１２とともに堆積して海底２６で酸化し、珪藻類の増殖速度を促進させる。すでに知られているように、海藻類や植物プランクトンの増殖には、海水中に溶存している窒素，リン，マンガン，ケイ素などの成分だけでなく、鉄が２価のイオンとして溶存している場合に、増殖効果が高くなることが判明している。従って、鉄を主成分とする活性材１４の混入により、海中２４の珪藻類３２の増殖速度が増す。増殖した珪藻類３２は、海上の空気中のＣＯ２を吸収するほか、一部は、図１（Ｃ）に示すように魚３０の餌となる。残った珪藻類３２は、同図（Ｄ）に示すように、いずれ死骸３４となって海底２６に沈んでいくが、このような死骸３４が長時間かかって化石化すると珪藻土３６となる。
【００１３】
海底２６上に形成された珪藻土３６は、全体に無数の微細孔を有するスポンジのような多孔質構造であり、海草３８が生育する土壌となりえる。海草３８が生育すると、魚３０の隠れ場所や産卵場所ともなるので、その場所には魚３０が集まってくるようになる。
【００１４】
このように、本実施形態によれば、撒きエサ１０の散布直前に、餌１２に鋳鉄その他の鉄を主成分とする粉末状の活性材１４を添加することとしたので、海中２４又は海底２６で酸化した鉄により珪藻類３２の増殖が促進され、魚３０の餌となるほか、海上の二酸化炭素の吸収にも役立つ。更に、珪藻類の死骸３４が海底２６に堆積して珪藻土３６となるので、餌１２のみを投入して海底２６に腐食した餌１２が堆積する場合と比較して、海草３８の生育が見られ、魚３０の産卵場所や隠れ家となり、魚３０が集まりやすい環境を整えることができる。すなわち、海底環境が活性化され、魚３０や海草３８などにとって好適な環境を作り出すことができる。
【００１５】
本発明には数多くの実施形態があり、以上の開示に基づいて多様に改変することが可能である。例えば、次のようなものも含まれる。
（１）前記形態で示した餌１２は一例であり、公知の各種の餌を利用してよい。
活性材１４についても同様であり、鋳鉄などの鉄を主成分とするものであれば、どのようなものであってもよい。
（２）前記形態で示した活性材１４の粉末の大きさや配合比率は一例であり、同様の効果を奏するように適宜変更してよい。
（３）前記形態で示した撒きエサ１０の投入方法も一例であり、必要に応じて適宜変更してよい。例えば、船１６から直接撒きエサ１０を、海面２８に向けて散布するようにしてもよい。
（４）前記形態では、本発明を海での利用に適用することとしたが、海に限定されるものではなく、例えば、釣り堀などに利用してもよい。
【００１６】
【発明の効果】
以上説明したように、本発明によれば、撒きエサの散布前に、鋳鉄その他の鉄を主成分とする粉末状の活性材を混合して散布することとしたので、珪藻類の増殖を促し、海底などの環境を生物の生育に適した環境に整えることができる。また、珪藻類の増殖により、海上の空気中のＣＯ２吸収を図ることもでき、環境全般の改善に効果がある。
【図面の簡単な説明】
【図１】本発明の一実施形態を示す図である。
【符号の説明】
１０…撒きエサ
１２…餌
１４…活性材
１６…船
１８…道糸
２０…ビシ
２２…下窓
２４…海中
２６…海底
２８…海面
３０…魚
３２…珪藻類
３４…死骸
３６…珪藻土
３８…海草
【図１】
2004194552.tif 000003